(57)【要約】【課題】従来技術による縮約表示は、系統図で選択した範囲内であるから電力系統設備全体が見えない問題点があり、さらに、当該選択範囲を全系系統図に設定したとしても、電力系統を構成する各設備を表示範囲が限られている表示装置に表示すると、縮約が設備の単なる非表示でしかないために、広範囲に分布する各設備同士が複雑に接続する上に種々の情報が重なり合い、系統計画の是非を判断するために必要な電力系統設備全体の潮流を把握するのに困難となる問題があった。【解決手段】表示範囲が限られている表示装置でも電力系統設備全体の潮流が表示できるように、各発電機，変圧器，負荷等を纏め表示するか否か、さらに、送電線、ＴＭ値を纏め表示するか否か選択可能として、系統計画の是非を判断する際にオペレータが必要とする情報のみが自動的に縮約系統図として表示する。【選択図】図６
2009247135.tif 000002
【特許請求の範囲】
【請求項１】
演算処理装置、入力装置、ディスプレイ装置、データベース等にて構成される縮約表示処理装置であって、
当該データベースには系統図を表示するのに必要な、母線ノードタイデータ、送電線データ、電気所毎の、母線ノードデータ、当該母線ノードに接続されている発電機データ、変圧器データ、負荷データなどの設備データ、さらに当該設備データ毎に、設備シンボル表示座標データ、ＴＭ値表示座標データ、縮約データが記憶されており、当該データは、各種設備の表示又は非表示の選択に関するデータ、複数の送電線や複数の設備を１に纏めるか否かの選択及び纏め表示にするときのシンボルや表示座標データ、電気所単位の流入、流出電力を統合表示にするか否かの選択及び電力纏め表示ときの表示座標に関するデータにて構成され、
前記演算処理装置は、前記データに記憶されている各種設備の表示又は非表示の選択、複数の送電線や複数の設備を１に纏めるか否かの選択、電気所単位のＴＭ値を統合表示にするか否かの選択が入力装置によりなされた組み合わせに基づいて、前記データベースより必要なデータを取得して当該組合せの縮約系統図をディスプレイに表示する電力系統縮約表示処理装置。
【発明の詳細な説明】
【技術分野】
【０００１】
オフラインで行う電力系統解析に際して用いる電力系統図を、オペレータの要請に応じて簡略化して表示する縮約系統図の表示技術に関する。
【背景技術】
【０００２】
従来、電力系統の系統図は、系統図データを図形データとして扱い、その上で回路の入り切りや、潮流計算の実施結果の表示、及び、電気所設備の停止計画日に電力系統の安定を満たした系統計画を立てるための系統解析等各種目的に用いられていた。
前記各種目的のために、詳細に電力系統設備全体を表示する詳細全系系統図、詳細系統図を簡略化して表示する縮約系統図の作成、さらに当該縮約系統図を全系統図から自動的に作成する技術も従来知られていた（特許文献１参照）が、前記従来技術での縮約表示は、全系系統図で選択した範囲内であり、しかも、ＣＢ（サーキットブレーカ）、キャパシタ、ＬＳ（ラインスイッチ）、母線間接続線等を非表示とした簡略化された系統図である。
【特許文献１】特開２００６−３１８４００号公報
【発明の開示】
【発明が解決しようとする課題】
【０００３】
前記従来技術による縮約表示は、全系系統図で選択した範囲内であるから系統解析を行うためには、電力系統設備全体が見えない問題点があり、また、仮に前記縮約表示の選択範囲を全系系統図に設定したとしても、電力系統を構成する各設備を地理的な配置を考慮して表示範囲が限られている表示装置に表示すると、簡略化が低いために、広範囲に分布する各設備同士が複雑に接続する上に種々の情報が重なり合い、系統計画の是非を判断するために必要な電力系統設備全体の潮流を把握するのが困難であった。
【０００４】
本発明は、オペレータが必要とする系統図を設備等の纏め表示の仕方により、表示範囲が限られている表示装置に潮流が把握できるように表示する電力系統縮約表示処理装置を提供することを目的とする
【課題を解決するための手段】
【０００５】
上記目的を達成するために、本発明は、系統計画の是非を判断する際にオペレータが必要とする情報である、各発電機、変圧器、負荷、送電線に流れる潮流値等について、纏め表示するか否か適宜選択し、当該選択に基づいて自動的に縮約表示させて、表示範囲が限られている表示装置でも電力系統設備全体の潮流を表示する。
【発明の効果】
【０００６】
本発明は，表示範囲が限られている表示装置に系統計画の是非を判断するのにオペレータが必要とする情報が自動的に縮約系統図が表示されるから、系統計画の是非の判断が効率良く行える効果を有する。
【発明を実施するための最良の形態】
【０００７】
以下図１乃至図７を用いて実施例を説明する。
図１は電力系統縮約表示処理装置のブロック構成図を示し、系統情報を受信する対外連携ネットワーク（１）、電力系統図の表示演算処理を行なう演算処理装置（２）、ディスプレイ装置（３）、受信した系統情報と電力系統図の基本情報を格納するデータベース（４）、オペレータが入力操作する入力装置（５）から構成されている。
【０００８】
ここでデータベース（４）について、そのデータベース構造を示す図２を用いて説明する。
データベース（４）には、電気所毎（Ａ、Ｂ・・・）のデータとして、母線ノードタイデータ（Ｘ）、送電線データ（Ｙ）が記憶されており、前記各データの内容は次のとおりである。
【０００９】
各電気所（Ａ、Ｂ・・・）データに格納されている内容は、電気所（Ａ）毎に、母線と発電機、変圧器、負荷等との電気的接続点の位置データである母線ノードデータ（Ａ１）、当該母線ノードに接続されている発電機データ（Ａ２）、変圧器データ（Ａ３）、負荷データ（Ａ４）等さらに、当該発電機、変圧器、負荷等については、当該設備毎にそのシンボルとその表示座標位置データである、設備シンボル表示座標データ（Ａ５）、ＴＭ値及びその表示座標データ（Ａ６）、及び当該設備を縮約するか否か及び縮約の種類に関するデータを格納した、縮約データ（Ａ７）である。
【００１０】
母線ノードタイデータ（Ｘ）に格納されている内容は、上流から下流に流れる潮流の分岐、すなわち系統のツリー構造に関するデータである。
また、送電線データ（Ｙ）に格納されている内容は、前記設備データと同様にシンボル表示座標データ（Ｙ１）、ＴＭ値表示座標データ（Ｙ２）、及び当該設備を縮約対象とするか否か及び縮約の種類に関するデータを格納した、縮約データ（Ｙ３）である。
【００１１】
縮約データ（Ａ７、Ｙ３）についてさらに説明する。
縮約データ（Ａ７，Ｙ３）に格納される内容は、縮約の有無（Ａ７１、Ｙ３１）に関するデータ、縮約表示する場合の縮約種類（Ａ７２、Ｙ３２）に関するデータである。
縮約の有無（Ａ７１、Ｙ３１）とは、縮約するか否かに関するデータであり、また、縮約種類（Ａ７２、Ｙ３２）とは、系統図に示される設備を表示するか又は非表示とするかの選択に関するデータ、複数の送電線や複数の設備を１に纏めるか否かの選択及び纏め表示にするときのシンボルの表示座標に関するデータ、電気所単位のＴＭ値を纏め表示にするか否かの選択及び纏め表示にするときの表示座標に関するデータである。
したがって、縮約系統図としては、設備を表示するか又は非表示にするかの表示非表示選択（α）、複数設備を１に纏めるか否かの設備纏め表示選択（β）、複数送電線を１に纏め表示するか否かの送電線纏め表示選択（γ）、電気所単位のＴＭ値を纏め表示にするか否かＴＭ値纏め表示選択（δ）の組合せに応じた数だけの縮約系統図が存在することとなる。
【００１２】
図３乃至図６を用いて詳細系統図、縮約系統図について説明する。
図３は作業の停止計画案を考慮した詳細系統図で、送電線を停止計画案に沿ってその接続をオフにしたシミュレーションの例として示す詳細系統図であり、    、  はＣＢ（サーキットブレーカー）で、前者はオン、後者はオフを示す。
また、網掛け箇所は作業用にオフ状態とされる送電線を、Ｇは発電機を示し、コは平行送電線、        は変圧器等を各々示す。
【００１３】
図４は複数の送電線を１に纏め表示する例として、図３の（あ）部分の送電線の縮約表示例を示す。
当該図において、座標位置（ア）は送電線１ＬのＡ変電所端を、座標位置（イ）、（ウ）は送電線１Ｌの屈曲点を、座標位置（エ）は送電線１ＬのＢ変電所端を、座標位置（オ）は送電線２ＬのＡ変電所端を、座標位置（カ）は送電線２ＬのＢ変電所端を表し、
座標位置（キ）は縮約送電線ＬのＡ変電所端を、座標位置（ク）、（ケ）は縮約送電線の屈曲点を、座標位置（コ）は縮約送電線のＢ変電所端を表す。
当該縮約送電線Ｌは、その座標位置（キ）を座標位置（ア）、（オ）の中点とし、座標位置（ク）を座標位置（カ）、（イ）の中点とし、座標位置（ケ）を座標位置（ウ）、（カ）の中点とし、座標位置（コ）を座標位置（エ）、（カ）の中点として作成したものである。
【００１４】
図５は、各電気所における総発電出力と総負荷、電気所単位のＴＭ値を纏めた値及び送電線を１に纏め表示する、縮約系統図の例を示す。
図６は、図５の縮約系統図と設備の縮約、送電線の縮約等の組合せが相違する他の縮約系統図で、複数の送電線、発電機、変圧器、負荷等を１に纏め、さらに発電出力と総負荷、電気所単位のＴＭ値を纏めた縮約系統図の例である。
【００１５】
次に本発明の動作について図７に基づいて説明する。
入力装置（５）を操作して電力系統の表示位置、表示倍率等を入力してシミュレーションを開始して（Ｓ１）、作業の停止計画案等の系統計画を立案するための系統情報を、対外連携ネットワーク（１）を介してデータベースに記憶する。
次に、詳細系統図を選択したか否か判定し（Ｓ３）、詳細系統図を選択したときは、演算処理装置（２）が、データーベース（４）に記憶されている、電気所毎の設備シンボル表示座標データ及びＴＭ値表示座標データ、母線ノードタイデータ（Ｘ）、送電線データ（Ｙ）を処理して詳細系統図表示データを作成して（Ｓ４）、当該詳細系統図表示テータに基づいて作業の停止計画が盛り込まれた詳細系統図がディスプレイ装置に表示される（Ｓ５）。
【００１６】
一方、（Ｓ３）で縮約系統図を選択した場合は、（Ｓ６）で縮約系統表示の組合せである前記表示非表示選択（α）、設備纏め表示選択（β）、送電線纏め表示選択（γ）、ＴＭ値纏め表示選択（δ）を適宜選択組み合わせて（図６のケースを例とする。）（Ｓ７）に進む。（Ｓ７）では、演算処理装置（２）が、データーベース（４）に記憶されている電気所の設備毎の縮約データ、送電線の縮約データを参照して、全ての送電線を送電線纏め表示（γ）し、全てのＣＢを非表示（α）とし、さらに、電気所Ａにおいて、ＴＭ値の纏め表示（δ）により２５と表示し、発電機の纏め表示（β）により発電機を単一表示し、非表示（α）により変圧器を非表示にし、さらに、電気所ＤにおいてＴＭ値の纏め表示（δ）により６と表示する縮約系統図表示データを作成し、当該作成された縮約系統図表示データに基づいて、縮約系統図がディスプレイ装置に表示される（Ｓ７）。
【００１７】
上記実施例による効果として、系統図を構成する全ての設備等を縮約対象可能として当該設備毎に縮約を行うか否かを自由に組み合わすことができるので、系統図の稠密性、ディスプレイ装置の大きさ、オペレータが必要とする表示設備等を勘案して最適表示を行える効果を奏する。
【００１８】
また、縮約したときのシンボルの表示座標に関するデータとして、その都度計算して求めても、予め記憶させておいても良い。
【産業上の利用可能性】
【００１９】
系統計画を立案、判定するためのシミュレーションのみに限らず、一般的な監視システムの縮約表示にも適用できることは明らかである。
【図面の簡単な説明】
【００２０】
【図１】電力系統縮約表示処理装置のブロック構成図
【図２】データベース構造図
【図３】作業の停止計画案に基づく詳細系統図
【図４】送電線の縮約図
【図５】図３の詳細系統図の縮約系統図の一例
【図６】図５の縮約系統図と縮約組合せが相違する縮約系統図の一例
【図７】本発明の動作を説明するフローチャート
【符号の説明】
【００２１】
１  対外連携ネットワーク
２  演算処理装置
３  ディスプレイ装置
４  データベース
５  入力装置
Ａ１  母線ノードデータ
Ａ２  発電機データ
Ａ３  変圧器データ
Ａ４  負荷データ
Ａ５  設備シンボル表示座標データ
Ａ６  ＴＭ値表示座標データ
Ａ７  縮約データ
Ａ７１  縮約の有無
Ａ７２  縮約種類
Ｘ  母線ノードデータ
Ｙ  送電線データ
Ｙ１  シンボル表示座標データ
Ｙ２  ＴＭ値表示座標データ
Ｙ３  縮約データ
Ｙ３１  縮約の有無
Ｙ３２  縮約種類
（ア）  送電線１ＬのＡ変電所端の座標位置
（イ）  送電線１Ｌの屈曲点を座標位置
（ウ）  送電線１Ｌの屈曲点を座標位置
（エ）  送電線１ＬのＢ変電所端座標位置
（オ）  送電線２ＬのＡ変電所端座標位置
（カ）  送電線２ＬのＢ変電所端座標位置
（キ）  縮約送電線ＬのＡ変電所端座標位置
（ク）  縮約送電線の屈曲点座標位置
（ケ）  縮約送電線の屈曲点座標位置
（コ）  縮約送電線のＢ変電所端座標位置
【図１】
2009247135.tif 000003
【図２】
2009247135.tif 000004
【図３】
2009247135.tif 000005
【図４】
2009247135.tif 000006
【図５】
2009247135.tif 000007
【図６】
2009247135.tif 000008
【図７】
2009247135.tif 000009